(57)【要約】【課題】スペースを要さずコストもかけずに操作感を発生させることができる光学装置を提供する。【解決手段】光学装置（１０）は、物体の接触を検知するタッチセンサ（２２）と、アクチュエータ（３５）によって駆動される光学要素（３０）と、タッチセンサ（２２）が物体の接触を検知したときに、この光学装置（１０）の所定の部分（３４ａ，３４ｂ）に光学要素（３０）を衝突させる制御部（３６）とを備える。【選択図】図１
2009020509.tif 000002
【特許請求の範囲】
【請求項１】
物体の接触を検知するタッチセンサと、
アクチュエータによって駆動される光学要素と、
前記タッチセンサが物体の接触を検知したときに、前記アクチュエータを駆動させることにより、この光学装置の所定の部分に前記光学要素を衝突させる制御部と、
を備える光学装置。
【請求項２】
請求項１に記載の光学装置において、
前記光学要素は、光軸に垂直な面内でシフトする作動部を有するブレ補正機構であること、
を特徴とする光学装置。
【請求項３】
請求項２に記載の光学装置において、
前記所定の部分は、前記作動部の作動範囲を制限する制限壁であること、
を特徴とする光学装置。
【請求項４】
請求項２又は請求項３に記載の光学装置において、
前記作動部は、前記タッチセンサを含む面と略垂直な方向に作動すること、
を特徴とする光学装置。
【請求項５】
請求項２から請求項４までのいずれか１項に記載の光学装置において、
被写体像の像光を屈曲させる屈曲部と、
前記屈曲部で屈曲させられた像光を受光し、被写体像を撮像する撮像部とを備え、
前記作動部は、前記屈曲部と前記撮像部との間に設けられ、
前記撮像部を含む面は、前記タッチセンサを含む面と略直交していること、
を特徴とする光学装置。
【請求項６】
請求項３から請求項５までのいずれか１項に記載の光学装置において、
前記制限壁は、前記作動部を挟んで両側に配置され、
前記制御部は、撮影モードか、非撮影モードかを判断し、
前記非撮影モードであると判断した場合には、前記作動部を衝突させる制限壁とは反対側の制限壁に、前記作動部を接触させて待機させること、
を特徴とする光学装置。
【請求項７】
請求項３から請求項５までのいずれか１項に記載の光学装置において、
前記制御部は、撮影モードか、非撮影モードかを判断し、
前記非撮影モードであると判断した場合には、前記制限壁から、前記作動部の衝突時の速度が前記作動部の最大速度に達するのに必要な距離だけ離れた位置に前記作動部を待機させること、
を特徴とする光学装置。
【請求項８】
請求項２から請求項５までのいずれか１項に記載の光学装置において、
前記制御部は、撮影モードか、非撮影モードかを判断し、
前記撮影モードであると判断した場合には、前記作動部の作動範囲の略中央に前記作動部を待機させること、
を特徴とする光学装置。
【請求項９】
請求項１から請求項７までのいずれか１項に記載の光学装置において、
レリーズボタンを備え、
前記制御部は、電源がオンされて前記レリーズボタンが押下されるまでの間において、撮影モードか非撮影モードかを判断して前記撮影モードと判断した場合、
前記タッチセンサが物体の接触を検知したときに、前記アクチュエータを駆動させることにより、この光学装置の所定の部分に前記光学要素を衝突させること、
を特徴とする光学装置。
【請求項１０】
請求項３から請求項７までのいずれか１項に記載の光学装置において、
レリーズボタンを備え、
前記制御部は、電源がオンされて前記レリーズボタンが押下されるまでの間において、撮影モードか、非撮影モードかを判断して前記撮影モードと判断した場合、
前記作動部を衝突させる制限壁とは反対側の制限壁に、前記作動部を接触させて待機させること、
を特徴とする光学装置。
【請求項１１】
請求項３から請求項７までのいずれか１項に記載の光学装置において、
レリーズボタンを備え、
前記制御部は、電源がオンされて前記レリーズボタンが押下されるまでの間において、撮影モードか、非撮影モードかを判断して前記撮影モードであると判断した場合、
前記制限壁から、前記作動部の衝突時の速度が前記作動部の最大速度に達するのに必要な距離だけ離れた位置に前記作動部を待機させること、
を特徴とする光学装置。
【請求項１２】
請求項９〜１１のいずれか１項に記載の光学装置において、
前記レリーズボタンが半押しされたときに、設定されている撮影条件が不適切である場合、
前記アクチュエータを駆動させることにより、この光学装置の所定の部分に前記光学要素を衝突させること、
を特徴とする光学装置。
【発明の詳細な説明】
【技術分野】
【０００１】
本発明は、光学装置に関するものである。
【背景技術】
【０００２】
従来の技術として、タッチセンサが接触を検知したときに、圧電素子などで構成される衝撃発生機構により指やペンに衝撃を伝えることで、クリック感のないタッチパネルであっても、操作者にクリック感などの操作感を擬似的に感じさせる技術がある（例えば、特許文献１参照）。
【０００３】
しかし、従来の方法では、操作感を発生させるために、専用のアクチュエータ（３５）を内蔵する必要があった。
これは、スペースを要し、専用の駆動回路も必要になり、装置の小型化を妨げ、また、コストもかかってしまう。
【特許文献１】特許第３７９８２８７号公報
【発明の開示】
【発明が解決しようとする課題】
【０００４】
本発明の課題は、スペースを要さずコストもかけずに操作感を発生させることができる光学装置を提供することである。
【課題を解決するための手段】
【０００５】
本発明は、以下のような解決手段により前記課題を解決する。なお、理解を容易にするために、本発明の一実施形態を示す図面に対応する符号を付して説明するが、これに限定されるものではない。
請求項１の発明は、物体の接触を検知するタッチセンサ（２２）と、アクチュエータ（３５）によって駆動される光学要素（３０）と、前記タッチセンサ（２２）が物体の接触を検知したときに、前記アクチュエータ（３５）を駆動させることにより、この光学装置（１０）の所定の部分（３４ａ，３４ｂ）に前記光学要素（３０）を衝突させる制御部（３６）と、を備える光学装置（１０）である。
請求項２の発明は、請求項１に記載の光学装置（１０）において、前記光学要素（３０）は、光軸に垂直な面内でシフトする作動部（３２）を有するブレ補正機構（３０）であること、を特徴とする光学装置（１０）である。
請求項３の発明は、請求項２に記載の光学装置（１０）において、前記所定の部分（３４ａ，３４ｂ）は、前記作動部（３２）の作動範囲を制限する制限壁（３４ａ，３４ｂ）であること、を特徴とする光学装置（１０）である。
請求項４の発明は、請求項２又は請求項３に記載の光学装置（１０）において、前記作動部（３２）は、前記タッチセンサ（２２）を含む面と略垂直な方向に作動すること、を特徴とする光学装置（１０）である。
請求項５の発明は、請求項２から請求項４までのいずれか１項に記載の光学装置（１０）において、被写体像の像光を屈曲させる屈曲部（１２）と、前記屈曲部（１２）で屈曲させられた像光を受光し、被写体像を撮像する撮像部（１８）とを備え、前記作動部（３２）は、前記屈曲部（１２）と前記撮像部（１８）との間に設けられ、前記撮像部（１８）を含む面は、前記タッチセンサ（２２）を含む面と略直交していること、を特徴とする光学装置（１０）である。
請求項６の発明は、請求項３から請求項５までのいずれか１項に記載の光学装置（１０）において、前記制限壁（３４ａ，３４ｂ）は、前記作動部（３２）を挟んで両側に配置され、前記制御部（３６）は、撮影モードか、非撮影モードかを判断し、前記非撮影モードであると判断した場合には、前記作動部（３２）を衝突させる制限壁（３４ａ）とは反対側の制限壁（３４ｂ）に、前記作動部（３２）を接触させて待機させること、を特徴とする光学装置（１０）である。
請求項７の発明は、請求項３から請求項５までのいずれか１項に記載の光学装置（１０）において、前記制御部（３６）は、撮影モードか、非撮影モードかを判断し、前記非撮影モードであると判断した場合には、前記制限壁（３４ａ）から、前記作動部（３２）の衝突時の速度が前記作動部（３２）の最大速度に達するのに必要な距離だけ離れた位置に前記作動部（３２）を待機させること、を特徴とする光学装置（１０）である。
請求項８の発明は、請求項２から請求項５までのいずれか１項に記載の光学装置（１０）において、前記制御部（３６）は、撮影モードか、非撮影モードかを判断し、前記撮影モードであると判断した場合には、前記作動部（３２）の作動範囲の略中央に前記作動部（３２）を待機させること、を特徴とする光学装置（１０）である。
請求項９に記載の発明は、請求項１から請求項７までのいずれか１項に記載の光学装置（１０）において、レリーズボタン（４０）を備え、前記制御部（３６）は、電源がオンされて前記レリーズボタン（４０）が押下されるまでの間において、撮影モードか非撮影モードかを判断して前記撮影モードと判断した場合、前記タッチセンサ（２２）が物体の接触を検知したときに、前記アクチュエータ（３５）を駆動させることにより、この光学装置（１０）の所定の部分に前記光学要素（３０）を衝突させること、を特徴とする光学装置（１０）である。
請求項１０に記載の発明は、請求項３から請求項７までのいずれか１項に記載の光学装置（１０）において、レリーズボタン（４０）を備え、前記制御部（３６）は、電源がオンされて前記レリーズボタン（４０）が押下されるまでの間において、撮影モードか、非撮影モードかを判断して前記撮影モードと判断した場合、前記作動部（３２）を衝突させる制限壁（３４ａ）とは反対側の制限壁（３４ａ）に、前記作動部（３２）を接触させて待機させること、を特徴とする光学装置（１０）である。
請求項１１に記載の発明は、請求項３から請求項７までのいずれか１項に記載の光学装置（１０）において、レリーズボタン（４０）を備え、前記制御部（３６）は、電源がオンされて前記レリーズボタン（４０）が押下されるまでの間において、撮影モードか、非撮影モードかを判断して前記撮影モードであると判断した場合、前記制限壁（３４ａ）から、前記作動部（３２）の衝突時の速度が前記作動部（３２）の最大速度に達するのに必要な距離だけ離れた位置に前記作動部（３２）を待機させること、を特徴とする光学装置（１０）である。
請求項１２に記載の発明は、請求項９〜１１のいずれか１項に記載の光学装置（１０）において、前記レリーズボタン（４０）が半押しされたときに、設定されている撮影条件が不適切である場合、前記アクチュエータ（３５）を駆動させることにより、この光学装置（１０）の所定の部分に前記光学要素（３０）を衝突させること、を特徴とする光学装置（１０）である。
なお、本発明をわかりやすく説明するために実施形態を示す図面の符号に対応付けて説明したが、本発明は、これに限定されるものでなく、後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明の効果】
【０００６】
本発明によれば、スペースを要さずコストもかけずに操作感を発生させることができる光学装置を提供することができる。
【発明を実施するための最良の形態】
【０００７】
以下、図面等を参照して、本発明の実施形態をあげて、さらに詳しく説明する。なお、本発明の光学装置は、例えば、スチルカメラ、ビデオカメラ、一眼レフ型のカメラ、望遠鏡、双眼鏡などとすることができるが、以下の実施形態では、デジタルカメラを例にとって説明する。
【０００８】
［第1実施形態］
図１は、第1実施形態のデジタルカメラを示す図である。また、図２はデジタルカメラのブロック図である。
※クレームに入っている制御部とアクチュエータは、図面で表したほうがよいと考え、デジタルカメラのブロック図を図２として追加しました。
なお、説明を明確にするために、図１中では、光Ａ１の方向（被写体側から撮影者側へ向かう方向）をＸ方向とし、それと直交した光Ａ２の方向（下方から上方へ向かう方向）をＺ方向とする。また、Ｙ方向は、Ｘ方向及びＺ方向に直交する方向（図１の紙面の法線方向において、裏面から表面へ向かう方向）である。
【０００９】
本実施形態のデジタルカメラ１０は、第１のレンズ群１１と、プリズム１２と、第２のレンズ群１３と、第３のレンズ群１４と、第４のレンズ群１５と、第５のレンズ群１６と、ローパスフィルタ１７と、撮像素子１８と、液晶ディスプレイ１９と、保護パネル２０と、ブレ補正機構３０などとを備える。また、デジタルカメラ１０のＺプラス側の面には、レリーズボタン４０が設けられている。
デジタルカメラ１０は、第１のレンズ群１１，第２のレンズ群１３〜第５のレンズ群１６によって撮影光学系が構成され、それらにプリズム１２を含ませることによって屈曲光学系が構成されている。
【００１０】
第１のレンズ群１１は、被写体像の像光である光Ａ１が入射するレンズであり、デジタルカメラ１０のレンズ群の中でも最も被写体に近いレンズである。
プリズム１２は、入射した光Ａ１の方向を９０度屈曲させる直角プリズムであり、第１のレンズ群１１が出射した＋Ｘ方向の光Ａ１を全反射させ、９０度曲げて、−Ｚ方向の光Ａ２を第２のレンズ群１３へと出射する。
【００１１】
第２のレンズ群１３は、プリズム１２から出射された光Ａ２が入射する位置に配置されている。
第３のレンズ群１４は、第２のレンズ群１３から出射された光Ａ２が入射する位置に配置され、図２に示すアクチュエータ(駆動機構）３７によりＺ方向に移動させることができる。
図１に戻り第４のレンズ群１５は、第３のレンズ群１４から出射された光Ａ２が入射する位置に配置され、後述のブレ補正機構３０の可動枠３２に保持されている。
第５のレンズ群１６は、第４のレンズ群１５から出射された光Ａ２が入射する位置に配置され、第３のレンズ群１４と同様に、アクチュエータ３７によりＺ方向に移動させることができる。
【００１２】
ローパスフィルタ１７は、第５のレンズ群１６と撮像素子１８との間に配置され、第５のレンズ群１６から出射された光Ａ２の高周波成分を取り除いて撮像素子１８に出射する水晶複屈折板であり、被写体像の干渉縞（モアレ）の発生を防止する。
撮像素子１８は、ローパスフィルタ１７から出射された光Ａ２が入射する素子であり、入射した光Ａ２を受光して被写体像を撮像し、電気的な画像信号に変換する。また、撮像素子１８の撮像面を含む面は、後述のタッチセンサ２２を含む面と略直交している。
【００１３】
液晶ディスプレイ１９は、このデジタルカメラ１０の背面側に配置され、撮影対象の被写体や、メニュー画面、撮影した画像などを表示する装置である。
保護パネル２０は、液晶ディスプレイ１９を覆うように配置された透明な樹脂板２１と、樹脂板２１の液晶ディスプレイ１９と反対側に配置され、撮影者の指やタッチペンなどの器具の接触を検知するタッチセンサ２２とを備える。タッチセンサ２２は、指などが触れた位置を検知して液晶ディスプレイ１９の画面上の位置を特定する。
【００１４】
ブレ補正機構３０は、第３のレンズ群１４と第５のレンズ群１６との間に配置され、第４のレンズ群１５を光Ａ２の光軸と直交する面内（ＸＹ平面内）で駆動させて、手振れなどの振動に起因する像ブレを低減させる機構である。
また、ブレ補正機構３０は、固定枠３１と、可動枠３２と、ボール３３と、制限壁３４ａ，３４ｂとを備える。
【００１５】
固定枠３１は、デジタルカメラ１０に固定され、光Ａ２の光軸に対して位置が固定された枠体である。
可動枠３２は、その一部が固定枠３１に対向して配置され、中央部分には、第４のレンズ群１５が組み付けられている。また、可動枠３２は、光Ａ２の光軸と直交する面内で移動可能に支持されており、タッチセンサ２２を含む面と略垂直な方向に作動する。
【００１６】
ボール３３は、固定枠３１と可動枠３２との間に配置されており、このボール３３とアクチュエータ３５によって、可動枠３２は、自在に移動できるようになっている。
制限壁３４ａ，３４ｂは、可動枠３２を挟んで両側に配置され、可動枠３２の作動範囲を制限する壁である。
【００１７】
また、デジタルカメラ１０は、図２に示すメインＣＰＵ３６を備え、メインＣＰＵ３６は、タッチセンサ２２を含む各種センサから入力を受け付け、アクチュエータ３５，３７などに指示を出すことにより、このデジタルカメラ１０を統括制御している。
【００１８】
レリーズボタン４０は、半押し操作、及び、全押し操作の２段階の操作が可能な押しボタンスイッチであり、半押し操作を行うことによって、ＡＦ（Auto  Focus）動作が実行され、レリーズボタン４０を全押し操作することによって、撮影が開始される。
【００１９】
次に、本実施形態のデジタルカメラ１０の動作について説明する。
図３は、デジタルカメラ１０の制御の流れを示すフローチャートである。
まず、電源が投入されると（Ｓ１０１）、メインＣＰＵ３６は、撮影モードか、非撮影モードかを判断する（Ｓ１０２）。ここで、撮影モードとは、実際に撮影を行っていたり、フレーミング動作を行っていたり、電子ビューファインダー機能を作動させていたりする場合であり、非撮影モードとは、メニュー画面や撮影した画像などを液晶ディスプレイ１９に表示している場合である。
【００２０】
メインＣＰＵ３６は、非撮影モードであると判断した場合には、可動枠３２を衝突させる制限壁３４ａとは反対側の制限壁３４ｂに可動枠３２を接触させて待機させる（Ｓ１０３）。
ここで、反対側の制限壁３４ｂに可動枠３２を接触させて待機させる理由は、より強い衝撃を発生させるために、可動枠３２をなるべく高速度で制限壁３４ａに衝突させたいからである。
そう考えると、可動枠３２のストロークや、デジタルカメラ１０のサイズによっては、反対側の制限壁３４ｂに可動枠３２を接触させて待機させなくても、可動枠３２の最高スピードが得られるような場合もある。
この場合は、衝突させる制限壁３４ａから、可動枠３２の衝突時の速度が可動枠３２の最大速度に達するのに必要な距離だけ離れた位置に可動枠３２を待機させればよい。
【００２１】
そして、タッチセンサ２２が指などの接触を検知したときには（Ｓ１０４；Ｙｅｓ）、メインＣＰＵ３６は、制限壁３４ａに可動枠３２を衝突させる（Ｓ１０５）。タッチセンサ２２が指などの接触を検知しない場合には（Ｓ１０４；Ｎｏ）、メインＣＰＵ３６は、可動枠３２を待機させ続ける（Ｓ１０３）。
【００２２】
一方、メインＣＰＵ３６は、撮影モードであると判断した場合には、可動枠３２の作動範囲の略中央に可動枠３２を待機させ（Ｓ１０６）、必要に応じて通常のブレ補正動作を行わせる（Ｓ１０７）。
【００２３】
このように、本実施形態によれば、以下のような効果がある。
（１）ブレ補正機構３０の可動枠３２を制限壁３４ａに衝突させて、操作感を発生させることができるので、従来の技術のように、専用のアクチュエータのためのスペースや、専用の駆動回路が不要となる。従って、カメラサイズの肥大化やコスト増を発生させることがない。また、操作者は、操作時に指やペンに反応を感じることができ、自然な操作感を得ることができる。
（２）ブレ補正機構３０を予め搭載しているカメラであれば、大幅な設計変更をしなくても、操作感を発生させることができる。
【００２４】
（３）可動枠３２は、タッチセンサ２２を含む面と略垂直な方向に作動するので、より分かりやすい反応を得ることができる。また、可動枠３２は、タッチセンサ２２側の制限壁３４ａに衝突するので、より直接的な感覚を得ることができる。
（４）可動枠３２は、プリズム１２と撮像素子１８との間に設けられ、撮像素子１８の撮像面は、タッチセンサ２２を含む面と略直交しているので、可動枠３２をバランスよく配置することができ、屈曲光学系を有するデジタルカメラ１０に好適である。
【００２５】
（５）非撮影モードの場合には、可動枠３２を衝突させる制限壁３４ａとは反対側の制限壁３４ｂに可動枠３２を接触させて待機させたり、可動枠３２の最大速度に達するのに必要な距離だけ離れた位置に可動枠３２を待機させたりすることで、効率よく最大の操作感を発生させることができる。
（６）撮影モードの場合には、可動枠３２の作動範囲の略中央に可動枠３２を待機させるので、通常通り柔軟にブレ補正を行うことができる。
【００２６】
［第２実施形態］
第２実施形態のデジタルカメラ１の構成は図１と同様であるので、構成に関する説明は省略する。第1実施形態とは、デジタルカメラ１０の制御の流れが異なる。図４は、第２実施形態におけるデジタルカメラ１０の制御の流れを示すフローチャートである。
【００２７】
まず、電源がオンにされると（Ｓ２０１）、メインＣＰＵ３６は、撮影モードか、非撮影モードかを判断する（Ｓ２０２）。メインＣＰＵ３６は、撮影モードであると判断した場合（Ｓ２０２;撮影モード）、可動枠３２を衝突させる制限壁３４ａとは反対側の制限壁３４ｂに可動枠３２を接触させて待機させる（Ｓ２０３）。そして、操作者が撮影条件の変更を行い、タッチセンサ２２が指などの接触を検知すると（Ｓ２０４；Ｙｅｓ）、メインＣＰＵ３６は、制限壁３４ａに可動枠３２を衝突させる（Ｓ２０５）。その後、Ｓ２０３に戻る。
【００２８】
Ｓ２０４でタッチセンサ２２が接触を検知しない場合には（Ｓ２０４；Ｎｏ）、メインＣＰＵ３６は、レリーズボタン４０が半押しされたかどうかを判断する（Ｓ２０６）。レリーズボタン４０が半押しされない場合は、Ｓ２０３に戻る。レリーズボタン４０が半押しされた場合（Ｓ２０６；Ｙｅｓ）、デジタルカメラ１０において設定されている撮影条件が、現在の撮影に適しているか、いないかを判断する（Ｓ２０７）。
【００２９】
ここで、設定されている撮影条件とは、Ｓ２０４においてタッチセンサ２２を使用して設定条件が変更された場合は、その変更後の撮影条件である。また、Ｓ２０４においてタッチセンサ２２を使用して設定条件が変更されていない場合は、前回、デジタルカメラ１０の電源がオフにされた時に設定されていた撮影条件である。
【００３０】
また、デジタルカメラ１０において設定されている撮影条件が、現在の撮影に適していない場合とは、フラッシュ発光モードで発光禁止が選択されているが被写体の輝度が低い場合、風景モードで山が選択されているが顔認識結果によって人物が検出された場合、ポートレートモードが選択されているがフラッシュの赤目軽減モードがオフされている場合、メモリ残量が少ないにもかかわらず、画像サイズが例えば７Ｍの大きなサイズに設定されている場合などである。
【００３１】
デジタルカメラ１０において設定されている撮影条件が現在の撮影に適していない場合（Ｓ２０７；Ｎｏ）、メインＣＰＵ３６は、制限壁３４ａに可動枠３２を衝突させる（Ｓ２０８）。このときの衝突は、タッチセンサ２２が接触を検知した場合よりも多い回数行なわれる。タッチセンサ２２が接触を検知した場合よりも多くすることで、通常の衝突と異ならせ、警告の意味合いを持たせるためである。
【００３２】
メインＣＰＵ３６は、制限壁３４ａに可動枠３２を衝突させた後、レリーズボタン４０が全押しされたかどうかを判断する（Ｓ２０９）。ここで、レリーズボタン４０が全押しされる場合（Ｓ２０９；Ｙｅｓ）とは、撮影者が撮影条件がデジタルカメラ１０の設定された撮影条件が現在の撮影に適していないことをＳ２０８の衝突で認識しつつ撮影を行う場合である。この場合、通常の撮影を行なう後述のＳ２１１へ進む。
【００３３】
Ｓ２０９においてレリーズボタン４０が全押しされない場合（Ｓ２０９；Ｎｏ）、Ｓ２０３へ戻る。そして、上述したようにメインＣＰＵ３６は可動枠３２を衝突させる制限壁３４ａとは反対側の制限壁３４ｂに可動枠３２を接触させて待機させる（Ｓ２０３）。そしてデジタルカメラ１０の設定されている撮影条件が現在の撮影に適していないことをＳ２０８の衝突で認識した撮影者は、撮影条件を変更することが可能となる。
【００３４】
Ｓ２０７においてデジタルカメラ１０の設定された撮影条件が現在の撮影に適している場合（Ｓ２０７；Ｙｅｓ）、メインＣＰＵ３６は、レリーズボタン４０が全押しされたかどうかを判断する（Ｓ２１０）。レリーズボタン４０が全押しされると、メインＣＰＵ３６は、デジタルカメラ１０においてブレ補正モードが設定されているかどうかを判断する（Ｓ２１１）。
【００３５】
デジタルカメラ１０においてブレ補正モードが設定されている場合（Ｓ２１１，Ｙｅｓ）、第１実施形態のＳ１０６及びＳ１０７と同様に、可動枠３２の作動範囲の略中央に可動枠３２を待機させ（Ｓ２１２）、必要に応じて通常のブレ補正動作を行わせる（Ｓ２１３）。その後、被写体像の撮影が行なわれる（Ｓ２１４）。
【００３６】
デジタルカメラ１０においてブレ補正モードが設定されていない場合（Ｓ２１１，Ｎｏ）、Ｓ２１２〜Ｓ２１３のブレ補正動作は行われずに、被写体像の撮影が行なわれる（Ｓ２１４）。
撮影後、電源がオフされると（Ｓ２１５；Ｙｅｓ）デジタルカメラ１０の動作は終了する。電源がオフされない場合は（Ｓ２１５；Ｎｏ）、再度Ｓ２０２に戻る。
【００３７】
Ｓ２０２においてメインＣＰＵ３６が、非撮影モードであると判断した場合には（Ｓ２０２;非撮影モード）、第1実施形態のＳ１０３〜Ｓ１０５と同様に、可動枠３２を衝突させる制限壁３４ａとは反対側の制限壁３４ｂに可動枠３２を接触させて待機させる（Ｓ２２０）。そして、タッチセンサ２２が指などの接触を検知したときには（Ｓ２２１；Ｙｅｓ）、メインＣＰＵ３６は、制限壁３４ａに可動枠３２を衝突させる（Ｓ２２２）。タッチセンサ２２が指などの接触を検知しない場合には（Ｓ２２１；Ｎｏ）、メインＣＰＵ３６は、可動枠３２を待機させ続ける（Ｓ２２０）。
【００３８】
第２実施形態によれば、第1実施形態に加え、以下のような効果がある。
（１）電源がオンにされ、レリーズボタン４０が押下されるまでの間における撮影モード中において、撮影条件の設定変更等によりタッチセンサが指などの接触を検知した場合も（Ｓ２０７；Ｙｅｓ）、メインＣＰＵ３６は、制限壁３４ａに可動枠３２を衝突させるので（Ｓ２０８）、操作者は操作時に指やペンに反応を感じることができる。
（２）レリーズボタン４０が半押しされたときに、設定されている撮影条件が不適切である場合も操作者は操作時に指やペンに反応を感じることができる。したがって操作者は撮影条件が適切でないことを認識することができる。
（３）設定されている撮影条件が不適切である場合の衝突は、タッチパネル２２で入力する場合の衝突より回数が多いため、操作者の注意を喚起することができる。
【００３９】
［変形形態］
上述した実施形態は、以下の変形も可能である。
（１）光学要素は、撮影光学系の一部を光軸と垂直な方向にシフトするレンズシフト式のブレ補正機構３０の例で説明したが、撮像素子１８を光軸と垂直な方向にシフトする撮像系シフト式のブレ補正機構であってもよい。また、撮像光学系と撮像系とからなる光学ユニット全体をティルト制御することでブレを防止する光学ユニットティルト式のブレ補正機構であってもよい。さらに、第３のレンズ群１４や第５のレンズ群１６であってもよい。さらにまた、これら以外の部材であっても、アクチュエータ（３５）によって駆動される光学要素であれば特に限定されるものではない。
（２）上述した実施形態では、制限壁３４ａに可動枠３２を衝突させる例で説明したが、デジタルカメラ１０の内壁などに可動枠３２を衝突させてもよい。
（３）上述した実施形態では、撮影者側の制限壁３４ａに可動枠３２を衝突させる例で説明したが、被写体側の制限壁３４ｂに可動枠３２を衝突させてもよい。
【００４０】
（４）可動枠３２を衝突させる回数は、１回のみならず、２回以上であってもよい。このようにすれば、ダブルクリックなどの感覚を発生させることができる。
（５）制限壁３４ａ，３４ｂと可動枠３２との接触箇所に金属板を貼り付けてもよい。このようにすれば、操作感を向上させることができる。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００４１】
【図１】第1実施形態のデジタルカメラを示す図である。
【図２】第1実施形態のデジタルカメラのブロック図である。
【図３】第1実施形態のデジタルカメラ１０の制御の流れを示すフローチャートである。
【図４】第２実施形態のデジタルカメラ１０の制御の流れを示すフローチャートである。
【符号の説明】
【００４２】
１０：デジタルカメラ、１２：プリズム、１８：撮像素子、２２：タッチセンサ、３０：ブレ補正機構、３２：可動枠、３４ａ，３４ｂ：制限壁，４０：レリーズスイッチ
【図１】
2009020509.tif 000003
【図２】
2009020509.tif 000004
【図３】
2009020509.tif 000005
【図４】
2009020509.tif 000006